【手続補正書】
【提出日】平成20年4月25日(2008.4.25)
【手続補正１】
【補正対象書類名】特許請求の範囲
【補正対象項目名】全文
【補正方法】変更
【補正の内容】
【特許請求の範囲】
【請求項１】
少なくとも１つの第１種のストレージ媒体と少なくとも１つの第２種のストレージ媒体とを備える記憶装置に接続されたファイルサーバであって、
クライアントコンピュータと通信するためのネットワークインターフェースと、
前記記憶装置に格納されたファイルを管理するためのファイル管理部と、
を備え、
前記ファイルサーバは、前記少なくとも１つの第１種のストレージ媒体と前記少なくとも１つの第２種のストレージ媒体とによって構成された論理装置内にファイルシステムを構成し、
前記ネットワークインターフェースは、前記ファイルシステムのファイルの書き込み要求を前記クライアントコンピュータから受信し、前記ファイルは、データとメタデータとを含み、
前記ファイル管理部は、前記ファイルの前記メタデータを前記少なくとも１つの第１種のストレージ媒体に書き込み、前記ファイルの前記データを前記少なくとも１つの第１種のストレージ媒体または前記少なくとも１つの第２種のストレージ媒体の内の１つに書き込むことで、前記ファイルの前記データが、前記少なくとも１つの第１種のストレージ媒体と前記少なくとも１つの第２種のストレージ媒体とに跨ることなく、該ストレージ媒体に格納される、
ファイルサーバ。
【請求項２】
請求項１に記載のファイルサーバであって、前記ファイルサーバが、ファイルの書き込み要求を前記クライアントコンピュータから受信した時に、前記ファイル管理部は、データ格納のためにストレージ媒体の種類を選択し、第１種が選択された場合、前記メタデータおよび前記データの両方が、前記少なくとも１つの第１種のストレージ媒体に格納される、ファイルサーバ。
【請求項３】
請求項１に記載のファイルサーバであって、データ格納のために前記少なくとも１つの第２種のストレージ媒体を選択した場合、前記メタデータおよび前記データは、それぞれ、前記少なくとも１つの第１種のストレージ媒体および前記少なくとも１つの第２種のストレージ媒体に格納される、ファイルサーバ。
【請求項４】
請求項３に記載のファイルサーバであって、前記ファイル管理部は、前記少なくとも１つの第１種のストレージ媒体から前記少なくとも１つの第２種のストレージ媒体に前記データを移動し、前記少なくも１つの第１種のストレージ媒体にすでに格納されているメタデータを、前記少なくとも１つの第２種のストレージ媒体の実データの位置を示すように変更する、ファイルサーバ。
【請求項５】
請求項１に記載のファイルサーバであって、前記記憶装置は、ストレージ媒体の種類に応じて前記論理装置内のアドレスレンジを管理するテーブルを備え、前記ファイルサーバが、ファイルの書き込み要求を前記クライアントコンピュータから受信した時に、前記記憶装置は、データ格納のためにストレージ媒体の種類を選択し、メタデータおよびデータが、前記少なくとも１つの第１種のストレージ媒体と前記少なくとも１つの第２種のストレージ媒体とに跨って格納されないように、前記論理装置に前記メタデータおよびデータを格納するよう、前記テーブルによって管理されている前記アドレスレンジを考慮する、ファイルサーバ。
【請求項６】
少なくとも１つの第１種のストレージ媒体によって構成された第１の記憶領域と、少なくとも１つの第２種のストレージ媒体によって構成された第２の記憶領域とを備える記憶装置に接続されたファイルサーバであって、
クライアントコンピュータと通信するためのネットワークインターフェースと、
前記記憶装置に格納されたファイルを管理するためのファイル管理部と、
を備え、
前記ファイルサーバは、前記第１の記憶領域と前記第２の記憶領域とによって構成された論理装置内にファイルシステムを構成し、
前記ネットワークインターフェースは、前記ファイルシステムのファイルの書き込み要求を前記クライアントコンピュータから受信し、前記ファイルは、データとメタデータとを含み、
前記ファイル管理部は、前記ファイルの前記データを格納するために、前記少なくとも１つの第１の記憶領域または前記第２の記憶領域の内の１つにおける格納位置を選択し、前記選択された格納位置に前記ファイルの前記データおよび前記メタデータを格納する、
ファイルサーバ。
【請求項７】
請求項６に記載のファイルサーバであって、前記ファイルサーバが、ファイルの前記書き込み要求を前記クライアントコンピュータから受信した時に、前記ファイル管理部は、データ格納のためにストレージ媒体の種類を選択し、第１種が選択された場合、メタデータおよびデータの両方が、前記少なくとも１つの第１種のストレージ媒体に格納される、ファイルサーバ。
【請求項８】
請求項６に記載のファイルサーバであって、前記ファイル管理部は、前記少なくとも１つの第１種のストレージ媒体から前記少なくとも１つの第２種のストレージ媒体に前記データを移動する時に、前記少なくとも１つの第２種の記憶領域にメタデータを作成する、ファイルサーバ。
【請求項９】
請求項６に記載のファイルサーバであって、前記記憶装置は、前記論理装置内で、前記第１の記憶領域によって占められた第１のアドレスレンジと、前記第２の記憶領域によって占められた第２のアドレスレンジとを管理するテーブルを備え、前記ファイルサーバが、ファイルの書き込み要求を前記クライアントコンピュータから受信した時に、前記記憶装置は、データ格納のためにストレージ媒体の種類を選択し、前記メタデータおよび前記データが、前記少なくとも１つの第１種のストレージ媒体と前記少なくとも１つの第２種のストレージ媒体とに跨らないように、前記論理装置に前記メタデータおよび前記データを格納するよう、前記テーブルによって管理されている前記アドレスレンジを考慮する、ファイルサーバ。
【請求項１０】
少なくとも１つの第１種のストレージ媒体と少なくとも１つの第２種のストレージ媒体とを備える記憶装置に接続されたファイルサーバにおける方法であって、
ネットワークインターフェースを介してクライアントコンピュータと通信する工程と、
前記記憶装置に格納されたファイルをファイル管理部によって管理する工程と、
前記少なくとも１つの第１種のストレージ媒体と前記少なくとも１つの第２種のストレージ媒体とによって構成された論理装置内にファイルシステムを構成する工程と、
前記ファイルシステムのファイルの書き込み要求を前記クライアントコンピュータから受信する工程であって、前記ファイルは、データとメタデータとを含む、工程と、
前記ファイルの前記メタデータを前記少なくとも１つの第１種のストレージ媒体に書き込み、前記ファイルの前記データを前記ファイルの前記データを前記少なくとも１つの第１種のストレージ媒体または前記少なくとも１つの第２種のストレージ媒体の内の１つに書き込むことで、前記ファイルの前記データが、前記少なくとも１つの第１種のストレージ媒体と前記少なくとも１つの第２種のストレージ媒体とに跨ることなく、該ストレージ媒体に格納されるようにする工程と、
を備える、方法。
【請求項１１】
請求項１０に記載の方法であって、前記ファイルサーバが、ファイルの書き込み要求を前記クライアントコンピュータから受信した時に、前記ファイル管理部は、データ格納のためにストレージ媒体の種類を選択し、第１種が選択された場合、前記メタデータおよび前記データの両方が、前記少なくとも１つの第１種のストレージ媒体に格納される、方法。
【請求項１２】
請求項１０に記載の方法であって、データ格納のために前記少なくとも１つの第２種のストレージ媒体を選択した場合、前記メタデータおよび前記データは、それぞれ、前記少なくとも１つの第１種のストレージ媒体および前記少なくとも１つの第２種のストレージ媒体に格納される、方法。
【請求項１３】
請求項１０に記載の方法であって、前記少なくとも１つの第１種のストレージ媒体から前記少なくとも１つの第２種のストレージ媒体に前記データを移動する時に、前記少なくも１つの第１種のストレージ媒体にすでに格納されているメタデータを、前記少なくとも１つの第２種のストレージ媒体の実データの位置を示すように変更する工程を備える、方法。
【請求項１４】
請求項１０に記載の方法であって、
ストレージ媒体の種類に応じて前記論理装置内のアドレスレンジを管理するテーブルを保持する工程と、
ファイルの書き込み要求を前記クライアントコンピュータから受信した時に、データ格納のためにストレージ媒体の種類を選択し、メタデータおよびデータが、前記少なくとも１つの第１種のストレージ媒体と前記少なくとも１つの第２種のストレージ媒体とに跨って格納されないように、前記論理装置に前記メタデータおよびデータを格納するよう、前記テーブルによって管理されている前記アドレスレンジを考慮する工程と、
を備える、方法。
【請求項１５】
少なくとも１つの第１種のストレージ媒体によって構成された第１の記憶領域と、少なくとも１つの第２種のストレージ媒体によって構成された第２の記憶領域とを備える記憶装置に接続されたファイルサーバにおける方法であって、
ネットワークインターフェースを介してクライアントコンピュータと通信する工程と、
前記記憶装置に格納されたファイルをファイル管理部によって管理する工程と、
前記第１の記憶領域と前記第２の記憶領域とによって構成された論理装置内にファイルシステムを構成する工程と、
前記ファイルシステムのファイルの書き込み要求を前記クライアントコンピュータから受信する工程であって、前記ファイルは、データとメタデータとを含む、工程と、
前記ファイルの前記データを格納するために、前記少なくとも１つの第１の記憶領域または前記第２の記憶領域の内の１つにおける格納位置を選択し、前記選択された格納位置に前記ファイルの前記データおよび前記メタデータを格納する工程と、
を備える、方法。
【請求項１６】
請求項１５に記載の方法であって、ファイルの前記書き込み要求を前記クライアントコンピュータから受信した時に、データ格納のためにストレージ媒体の種類を選択する工程を備え、第１種が選択された場合、メタデータおよびデータの両方が、前記少なくとも１つの第１種のストレージ媒体に格納される、方法。
【請求項１７】
請求項１５に記載の方法であって、前記少なくとも１つの第１種のストレージ媒体から前記少なくとも１つの第２種のストレージ媒体に前記データを移動する時に、前記少なくとも１つの第２種の記憶領域にメタデータを作成する工程を備える、方法。
【請求項１８】
請求項１５に記載の方法であって、
前記論理装置内で、前記第１の記憶領域によって占められた第１のアドレスレンジと、前記第２の記憶領域によって占められた第２のアドレスレンジとを管理するテーブルを保持する工程と、
ファイルの書き込み要求を前記クライアントコンピュータから受信した時に、データ格納のためにストレージ媒体の種類を選択し、前記メタデータおよび前記データが、前記少なくとも１つの第１種のストレージ媒体と前記少なくとも１つの第２種のストレージ媒体とに跨らないように、前記論理装置に前記メタデータおよび前記データを格納するよう、前記テーブルによって管理されている前記アドレスレンジを考慮する工程と、
を備える、方法。